(57)【要約】【課題】電源ＯＦＦ時に太陽光によるＳＨ羽根や撮像素子へのダメージを防止することを可能にした電子撮像装置を提供すること。【解決手段】遮光板を半透過ミラー保持枠の開口部を覆う位置まで駆動する遮光板駆動ユニットをミラーボックスの下面に配置し、電源ＯＦＦ時に遮光板を駆動して太陽光が半透過ミラーを通過してＳＨ羽根や撮像素子へ入射することを防止する。【選択図】  図８（ａ）
2015225192.tif 000002
【特許請求の範囲】
【請求項１】
被写体光を撮像素子と他方へ分離する半透過ミラー２０３を回動可能に備えた電子撮像装置において、
半透過ミラー２０３を保持し、被写体光が通過する開口部２０４−ｆを有する半透過ミラー保持枠２０４と、
半透過ミラー保持枠２０４を回動可能に保持するミラーボックス２００と、
半透過ミラー保持枠２０４の被写体側先端近傍に回転中心を備える遮光部材２０５と、
遮光部材２０５と半透過ミラー保持枠２０４とを回転により開く方向へ付勢する付勢バネ２０６と、
ミラーボックス内壁に撮影光軸よりも上側であって、遮光板２０５と当接可能な位置に突出した凸部３００と、を備え
半透過ミラー保持枠２０４と遮光板２０５は、撮影待機時に撮影光束中に配置された第一の位置（ミラーダウン位置）と、撮影時に撮影光束から退避した第二の位置（ミラーアップ位置）とに回動可能に構成されており、
ミラーアップ位置では、遮光板２０５はミラーボックス内壁に設けられた第一の凸部３００と回転中心よりも被写体側の領域２０５−ｄで当接した状態で保持され、
電源ＯＮ時のミラーダウン位置では、半透過ミラー保持枠２０４と遮光板２０５は付勢バネ２０６による付勢力で互いに所定の領域２０４−ｅ、２０５−ｃで当接した位置で保持され、
電源ＯＦＦ時には、ミラーユニット１１２がミラーダウン位置に配置された状態で、遮光板駆動部材４０１ｏｒ５０１が遮光板２０５と当接する位置に駆動されることで、遮光板２０５が半透過ミラー保持枠２０４の開口部２０４−ｆを覆う状態で保持されることを特徴とする電子撮像装置。
【請求項２】
遮光板駆動部材４０１は電源ＯＮ時にはミラーボックス２００内面よりも逃げた位置に配置され、電源ＯＦＦ時に直線の軌跡により撮影光軸に近づきつつ遮光板２０５と当接することを特徴とする請求項１に記載の電子撮像装置。
【請求項３】
遮光板駆動部材４０１は電源ＯＮ時にはミラーボックス２００内面よりも逃げた位置に配置され、電源ＯＦＦ時に被写体側に配置された回転軸５０１−ａを回転中心として、回転駆動されることにより遮光板２０５と当接することを特徴とする請求項１に記載の電子撮像装置。
【請求項４】
遮光板駆動部材４０１ｏｒ５０１を駆動する遮光板駆動モーター４０２ｏｒ５０２はミラーボックス２００の下面に配置されていることを特徴とする請求項１に記載の電子撮像装置。
【発明の詳細な説明】
【技術分野】
【０００１】
本発明は、電子撮像装置に関し、特に反射部材によって撮影光を分割するものに関するものである。
【背景技術】
【０００２】
従来、撮像素子で被写体光を露光させつつ、ファインダーで被写体を確認できる構造として、半透過ミラーを撮影光路中に配置し、一部の光を撮像素子へ透過させ、残りの光をファインダーへ反射させる構造が提案されている。特許文献１では、半透過ミラーの保持枠先端を回転軸とする遮光部材が、トグルバネによりミラーアップ位置では半透過ミラー保持枠と接近する位置に駆動され、ミラーダウン位置では半透過ミラー保持枠から離れる位置に駆動される構造が開示されている。
【先行技術文献】
【特許文献】
【０００３】
【特許文献１】特開平１１−２９５８１０号公報
【発明の概要】
【発明が解決しようとする課題】
【０００４】
しかしながら、上述の特許文献１に開示された従来技術では、電源ＯＦＦ時にも半透過ミラーを通して太陽光が入射可能であり、太陽光が入射するとＳＨ羽根や撮像素子がダメージを受けてしまう可能性があった。
【０００５】
そこで、本発明の目的は、撮像素子で被写体光を露光させつつ、ファインダーで被写体を確認できる構成において、電源ＯＦＦ時に太陽光によるＳＨ羽根や撮像素子へのダメージを防止する電子撮像装置を提供することである。
【課題を解決するための手段】
【０００６】
上記目的を達成するために、請求項１記載の本発明では、被写体光を撮像素子と他方へ分離する半透過ミラー２０３を回動可能に備えた電子撮像装置において、半透過ミラー２０３を保持し、被写体光が通過する開口部２０４−ｆを有する半透過ミラー保持枠２０４と、半透過ミラー保持枠２０４を回動可能に保持するミラーボックス２００と、半透過ミラー保持枠２０４の被写体側先端近傍に回転中心を備える遮光部材２０５と、遮光部材２０５と半透過ミラー保持枠２０４とを回転により開く方向へ付勢する付勢バネ２０６と、ミラーボックス内壁に撮影光軸よりも上側であって、遮光板２０５と当接可能な位置に突出した凸部３００と、を備え、半透過ミラー保持枠２０４と遮光板２０５は、撮影待機時に撮影光束中に配置された第一の位置（ミラーダウン位置）と、撮影時に撮影光束から退避した第二の位置（ミラーアップ位置）とに回動可能に構成されており、ミラーアップ位置では、遮光板２０５はミラーボックス内壁に設けられた第一の凸部３００と回転中心よりも被写体側の領域２０５−ｄで当接した状態で保持され、電源ＯＮ時のミラーダウン位置では、半透過ミラー保持枠２０４と遮光板２０５は付勢バネ２０６による付勢力で互いに所定の領域２０４−ｅ、２０５−ｃで当接した位置で保持され、電源ＯＦＦ時には、ミラーユニット１１２がミラーダウン位置に配置された状態で、遮光板駆動部材４０１ｏｒ５０１が遮光板２０５と当接する位置に駆動されることで、遮光板２０５が半透過ミラー保持枠２０４の開口部２０４−ｆを覆う状態で保持されることを特徴としている。
【０００７】
請求項２記載の本発明では、請求項１において、遮光板駆動部材４０１は電源ＯＮ時にはミラーボックス２００内面よりも逃げた位置に配置され、電源ＯＦＦ時に略直線の軌跡により撮影光軸に近づきつつ遮光板２０５と当接することを特徴としている。
【０００８】
請求項３記載の本発明では、請求項１において、遮光板駆動部材４０１は電源ＯＮ時にはミラーボックス２００内面よりも逃げた位置に配置され、電源ＯＦＦ時に被写体側に配置された回転軸５０１−ａを回転中心として、回転駆動されることにより遮光板２０５と当接することを特徴としている。
【０００９】
請求項４記載の本発明では、請求項１において、遮光板駆動部材４０１ｏｒ５０１を駆動する遮光板駆動モーター４０２ｏｒ５０２はミラーボックス２００の下面に配置されていることを特徴としている。
【発明の効果】
【００１０】
本発明によれば、撮像素子で被写体光を露光させつつ、ファインダーで被写体を確認できる構成であっても、電源ＯＦＦ時に太陽光によるＳＨ羽根や撮像素子へのダメージを防止することを可能にした電子撮像装置を提供することができる。
【図面の簡単な説明】
【００１１】
【図１】（ａ）は本発明を適用した電子撮像装置の正面側斜視図である。（ｂ）は本発明を適用した電子撮像装置の背面側斜視図である。
【図２】本発明を適用した電子撮像装置の閃光装置が使用位置にある図である。
【図３】本発明を適用した電子撮像装置のブロック図である。
【図４】本発明の第一の実施例を適用したミラーボックスユニットの斜視図である。
【図５】本発明を適用したミラーボックス内部品と撮像素子の側面図である。
【図６】（ａ）は本発明を適用したミラーユニットの撮影光軸側からみた斜視図である。（ｂ）は本発明を適用したミラーユニットの撮影光軸逆側からみた斜視図である。
【図７（ａ）】本発明を適用したミラーユニットのダウン位置側面図である。
【図７（ｂ）】本発明を適用したミラーユニットのアップ位置近傍の側面図である。
【図７（ｃ）】本発明を適用したミラーユニットのアップ位置側面図である。
【図８（ａ）】本発明を適用したミラーユニットと遮光板駆動ユニットの撮影待機状態を示した側面図である。
【図８（ｂ）】本発明を適用したミラーユニットと遮光板駆動ユニットの遮光板駆動開始を示した側面図である。
【図８（ｃ）】本発明を適用したミラーユニットと遮光板駆動ユニットの電源ＯＦＦ状態を示した側面図である。
【図９】（ａ）は本発明を適用した電子撮像装置の電源ＯＦＦ時のフローチャートである。（ｂ）は本発明を適用した電子撮像装置の電源ＯＮ時のフローチャートである。
【図１０】本発明の第二の実施例を適用したミラーボックスユニットの斜視図である。
【図１１（ａ）】本発明を適用したミラーユニットと遮光板駆動ユニットの撮影待機状態を示した側面図である。
【図１１（ｂ）】本発明を適用したミラーユニットと遮光板駆動ユニットの遮光板駆動開始を示した側面図である。
【図１１（ｃ）】本発明を適用したミラーユニットと遮光板駆動ユニットの電源ＯＦＦ状態を示した側面図である。
【発明を実施するための形態】
【００１２】
以下に、本発明の好ましい実施の形態を、添付の図面に基づいて詳細に説明する。
【実施例１】
【００１３】
以下、図１から図３を参照して、デジタル一眼レフカメラの動作概略について説明する。図１は本発明を適用したデジタル一眼レフカメラの外観斜視図である。図２は本発明を適用したデジタル一眼レフカメラの閃光ユニットが発光位置へ移動した外観斜視図である。図３は本実施例におけるデジタル一眼レフカメラのブロック図である。
【００１４】
なお、本実施例ではレンズ着脱可能なデジタル一眼レフを例示するが本発明はこれに限定されるものでは無く、撮影位置と撮影退避位置とに移動可能な半透過ミラーを有する撮像装置であれば適用可能である。
【００１５】
本実施例のデジタル一眼レフカメラでは後述するように、ミラーボックス下に、所謂位相差ＡＦユニットを備えておらず、位相差ＡＦユニットに被写体光を導光するための反射鏡も備えていない。ミラーユニット１１２は半透過ミラーを備えており、撮影光学系を透過してきた被写体光の一部を透過し、不図示の撮像素子に導光させ、残りの被写体光をファインダーユニット１１３に反射させて撮影者が被写体光を観察可能に構成されている。
【００１６】
カメラ本体１００の上面外装カバー１０１に設けられた主電源スイッチ１０７がＯＮ位置へ操作されると、カメラマイコン１０は所定のシーケンスによりカメラを起動する。
【００１７】
カメラマイコン１０は操作検出回路１２により操作部材の操作を検出すると、対応する設定を行う。例えば、撮影モードダイヤル１０８が操作され撮影モードが選択されると、選択された撮影モードに対応したシャッタースピードと絞りとの組み合わせを決定するプログラム線図を設定する。また電子ダイヤル１０５が操作されると、露出補正などの設定を行う。ＩＳＯ感度設定ボタン１０６が操作されると、ＩＳＯ感度条件を設定する。
【００１８】
撮影モードダイヤル１０８で自動設定モードが選択された場合における、一連の撮影動作を述べる。操作検出回路１２によりレリーズボタン１０４が第一の位置まで押し込まれたことが検知されると、カメラマイコン１０は撮影条件制御回路１３を駆動し、適切なシャッタースピードと絞り値を決定するために、ファインダーユニット１１３近辺に設けられた不図示の測光センサーにより被写体光を測光する。或いは半透過ミラーを透過して撮像素子に入射した被写体光を測光してもよい。
【００１９】
得られた測光結果から被写体光が所定の輝度よりも低いと判断されると、カメラマイコン１０はモーター制御回路１４を駆動し、閃光ユニット１０３を発光位置まで移動させるべく不図示のモーターを駆動し、回転運動により所定の位置まで移動する（図２に示される位置）。
【００２０】
操作検出回路１２によりレリーズボタン１０４が第二の位置まで押し込まれたことが検知されると、不図示の撮像素子に被写体光が到達するように、カメラマイコン１０はモーター制御回路１４を駆動し、ミラーユニット１１２を所定の位置に退避させ、閃光制御回路１１を駆動し、所定のタイミングで発光させ被写体に適切な光を照射させる。
【００２１】
撮像素子に被写体光が到達した状態でカメラマイコン１０は撮像素子駆動回路１５を駆動し、光電変換により被写体光を電子データとして取得する。取得された電子データはデータ処理回路１６により所定の増幅、変換、補正などのデータ処理を施され、撮影画像データとなる。
【００２２】
カメラマイコン１０は記録処理回路１７を駆動することで、得られた撮影画像データを不図示のメモリーに記録する。撮影者が不図示の画像再生ボタンを操作すると、カメラマイコン１０は再生処理回路１８を駆動し、カメラ背面外装カバー１１１に設けられた表示装置１１０にメモリーに保存されている撮影画像を表示させる。
【００２３】
１０９はアクセサリーシューであり、外部ストロボなどの外部アクセサリーを装着し、接点部でカメラ内部の回路と接続されることで装着された外部アクセサリーと通信接続することができる。
【００２４】
図４は本発明を適用したデジタル一眼レフカメラのミラーボックスユニット斜視図である。ミラーボックス２００の側面にはミラーユニット１１２を駆動する公知のミラー駆動ユニット２０１が固定されている。ミラー駆動ユニット２０１はモーター、不図示のギア、バネ、ミラーユニット駆動レバーなどで構成されている。ミラーボックス２００の上部には不図示のファインダーユニットが固定される。ファインダーユニットに被写体光の一部を反射させるミラーユニット１１２は、半透過ミラー２０３、半透過ミラー保持枠２０４、遮光板２０５、遮光板付勢バネ２０６から構成されている。
【００２５】
半透過ミラー２０３は半透過ミラー保持枠２０４に不図示の両面テープで固定されている。なお、半透過ミラー２０３の半透過ミラー保持枠２０４への固定方法は充分な強度があればどのような方法であっても良い。ミラーボックス２００の内壁には有害反射光防止のために公知の技術である反射防止シート２０７が貼りつけられている。
【００２６】
なお、反射防止シート２０７は本発明に必須の構成要素では無く、反射防止塗装など、反射防止構造が採用されていることが望ましいが必要に応じて設けられていればよい。ミラーボックス２００の下面には後述する遮光板駆動直進部材４０１が配置されており、電源ＯＮ時にはミラーボックス２００内部に突出しない位置に配置されている。ミラーユニット１１２は撮影時には衝撃吸収部材２０８に衝突しアップ位置に保持される。
【００２７】
図５はミラーボックス内側の構造物と撮像素子の側面図である。半透過ミラー２０３が固定された半透過ミラー保持枠２０４は保持枠回転軸２０４−ａを回転中心として、撮影者が被写体光を観察する第一の位置（以降、ミラーダウン位置という）と撮影時に撮影光束から退避している第二の位置（以降、ミラーアップ位置という）とに回動自在に構成され、ミラーダウン位置とミラーアップ位置にそれぞれ保持可能に構成されている。
【００２８】
半透過ミラー保持枠２０４は駆動軸２０４−ｂを不図示のミラーユニット駆動レバーとミラーユニット駆動バネにより駆動されることでミラーダウン位置、ミラーアップ位置に回動可能、かつ保持可能に構成されている。ミラーボックス２００の内面側壁の少なくとも一方にはアップ位置駆動ピン３００が設けられている。アップ位置駆動ピン３００の作用については後述する。
【００２９】
遮光板２０５はミラーユニット１１２の動作への影響を少なくするため、軽量で強度のある金属で作成されている。また、遮光板２０５表裏に有害光反射防止シート２０５−ａ、２０５−ｂが貼り付けられており、合焦時、撮影時の有害光が反射することを低減させている。遮光板２０５の撮像素子側先端の幅は、半透過ミラー保持枠２０４に設けられた開口部を覆えるだけの幅があればよく、回転中心近辺の幅よりも狭くしており、先端部の荷重を少なくしている。なお、材質はミラーユニット１１２の駆動に影響を与えない程度のものであれば、何であってもよい。反射防止シートも、反射防止塗装や反射防止形状（例えば山谷の連続形状）であってもよい。
【００３０】
半透過ミラー保持枠２０４の被写体側先端近辺には遮光板２０５の回転中心となる遮光板回転軸２０４−ｃが設けられており、遮光板２０５が回動可能に取り付けられる。また、遮光板２０５は遮光板回転軸２０４−ｃを中心に半透過ミラー保持枠２０４に対して回動可能な状態で、半透過ミラー保持枠２０４とともに半透過ミラー保持枠２０４の回転軸２０４−ａを中心に回動可能に構成されている。
【００３１】
遮光板２０５は付勢バネ２０６により半透過ミラー保持枠２０４から離れる（開く）方向に付勢されている。付勢バネ２０６は巻線部を遮光板回転軸２０４−ｃに配置し、一端は半透過ミラー保持枠２０４と当接し、他端が遮光板２０５に当接している。付勢バネ２０６は片側の遮光板回転軸２０４−ｃ近辺にあればよいが、両側にあってもよい。ミラーユニット１１２がミラーダウン位置に配置されている時には、付勢バネ２０６の付勢力により半透過ミラー保持枠２０４から離れた（開いた）状態で遮光板２０５が保持される（図５の状態）。
【００３２】
ミラーユニット１１２がミラーダウン位置に配置されている時には、半透過ミラー保持枠２０４に設けられた開口部２０４−ｆから、半透過ミラー２０３を透過した被写体光が撮像素子３０２に入射可能な状態となっている。このとき、遮光板２０５に有害光が反射すると画像品質が低下し、合焦精度に影響するが、有害光反射防止シート２０５−ｂにより、有害反射光を低減することが可能である。更に、ミラーユニット１１２がミラーダウン位置に配置されている時に、半透過ミラー保持枠２０４の被写体側先端とミラーボックス２００の下面との間から被写体光が入射すると撮像素子３０２で得られる画像品質が低下し、合焦精度に影響するが、遮光板２０５が有害光を遮光するため撮像素子３０２で得られる画像品質が低下することを防止できる。
【００３３】
撮像素子３０２から得られた画像データを利用して公知の技術である所謂コントラストＡＦや、撮像面位相差ＡＦなどで合焦動作を行うことが可能である。また、測光は撮像素子、或いは設けられているなら専用測光素子を用いて行うことが可能である。
【００３４】
本発明では、半透過ミラー２０３を透過した被写体光を撮像素子３０２で電気信号に変換し、合焦動作を行う。そのため、従来ミラーボックス２００の下面に設けられていた位相差ＡＦユニットが不要となる。ミラーダウン位置で半透過ミラー保持枠２０４の開口部２０４−ｆを透過した被写体光により画像データを得るため、開口部サイズにより合焦可能な範囲が決まる。本発明では特に合焦可能な範囲による限定は受けないが、撮影サイズの５０％以上の開口部サイズが設けられていることが合焦可能領域が広く、使い勝手が良いため望ましい。半透過ミラー２０３の大きさが小さくなると、半透過ミラー保持枠２０４の開口部２０４−ｆの大きさも小さくなるため、半透過ミラー２０３の大きさは極力大きい方が撮影者にとって使い勝手が良い。
【００３５】
図６はミラーユニット１１２の斜視図である。半透過ミラー保持枠２０４の側面にはミラーボックス２００内面に設けられたミラー位置決め部３０３と当接するミラー位置決め当接面２０４−ｄが設けられており、ミラーダウン位置での半透過ミラー２０３の角度を所定の角度に維持するように構成されている。半透過ミラー保持枠２０４の被写体側先端には遮光板２０５と当接し、付勢バネ２０６の付勢力により遮光板２０５が離れた（開いた）状態での位置が保持されるための保持枠当接面２０４−ｅが設けられている。遮光板２０５には対応する部分として、遮光板当接面２０５−ｃが設けられている。遮光板当接面２０５−ｃは遮光板２０５の他の領域とは異なる平面として設けられている。これは、半透過ミラー保持０４の先端部の肉厚を確保して強度を確保するためである。遮光板当接面２０５−ｃ以外は、ミラーアップ位置で極力半透過ミラー保持２０４に近い位置に配置可能な位置に設定している。
【００３６】
なお、本実施例では遮光板当接面２０５−ｃが他の領域とは異なる平面としているが、本発明はこれに限定されるものでは無く同じ位置であっても、ミラーアップ位置で半透過ミラー保持枠２０４の開口部２０４−ｆを覆えればよい。
【００３７】
遮光板２０５の回転中心近辺にはアップ位置駆動ピン３００に当接するピン当接部２０５−ｄが撮影光軸に対して略対称な位置に設けられている。ピン当接部２０５−ｄは遮光板２０５の両側面に設けられた強度を上げるたに設けられている壁部２０５−ｅに設けられている。また、ピン当接部２０５−ｄは半透過ミラー保持枠２０４に設けられた遮光板回転軸２０４−ｃよりも撮影光軸から遠い方向へ伸長する面として設けられている。なお、ピン当接部２０５−ｄが壁部２０５−ｅに設けられるとしているが、本発明において必須では無く、遮光板当接面２０５−ｃから設けられていても良い。ピン当接部２０５−ｄのファインダー側の面がアップ位置駆動ピン３００と当接する。付勢バネ２０６はピン当接部２０５−ｄのファインダー側の面に当接するように配置されている。
【００３８】
図７はミラーユニット１１２の動作を示した側面図である。図７（ａ）はミラーダウン位置であり、図５を逆側から見た側面図である。図７（ｂ）は遮光板２０５のピン当接部２０５−ｄがアップ位置駆動ピン３００と当接し始め、あるいは離れ始めを示している側面図である。図７（ｃ）は露光時の退避状態であるミラーアップ位置を示している。
【００３９】
図７を用いてミラーユニット１１２の動作を説明する。ミラーダウン位置では半透過ミラー保持枠２０４はミラー位置決め部３０３と位置決め受け面２０４−ｄとが当接した状態で所定の角度を維持したまま保持されている。ミラー位置決め部３０３は遮光板２０５の壁部２０５−ｅとの干渉を避ける形状となっているが、撮影光軸との距離を異ならせることで干渉しない配置としても良い。その場合は、遮光板２０５の壁部２０５−ｅが撮影光軸に近い位置に配置される。これにより、半透過ミラー２０３で反射された被写体光を撮影者はファインダー光学系を通して正しく認識することが可能となる。
【００４０】
半透過ミラー２０３を透過した被写体光は撮像素子３０２へ入射し、被写体光が電気信号に変換され公知の技術により合焦動作が行われる。撮影者がレリーズボタン１０４を操作すると、前述したカメラ動作により合焦制御、撮影条件設定が行われる。撮影可能となった後に、不図示のミラーユニット駆動レバーにより半透過ミラー保持枠２０４は回動駆動され、ミラーアップ位置へ移動を開始する。遮光板２０５は半透過ミラー保持枠２０４と共に移動し、ミラーアップ位置手前でアップ位置駆動ピン３００と遮光板２０５のピン当接部２０５−ｄとが当接し始める（図７（ｂ）の状態）。アップ位置駆動ピン３００と遮光板２０５のピン当接部２０５−ｄとが当接する場所は、遮光板２０５の回転中心よりも被写体側であり、遮光板２０５はアップ位置駆動ピン３００から半透過ミラー保持枠２０４に近づく（閉じる）方向の回転駆動力を受け、遮光板２０５が半透過ミラー保持枠２０４に対して近づく（閉じる）方向に駆動される。
【００４１】
なお、実施例の絵では、付勢バネ２０６の遮光板２０５側の端部が遮光板２０５に干渉した状態となっているが、実際には端部がピン当接部２０５−ｄと接する位置に当接した位置に配置されている。
【００４２】
ミラーユニット駆動レバーにより半透過ミラー保持枠２０４がミラーアップ位置へ駆動されると半透過ミラー保持枠２０４の被写体側先端が衝撃干渉部材２０８と衝突し、所定の圧縮位置で保持される（図７（ｃ）の状態）。このとき遮光板２０５はアップ位置駆動ピン３００により半透過ミラー保持枠２０４に対して最も近づく（閉じる）状態に保持されている。
【００４３】
ミラーユニット１１２がミラーアップ位置へ駆動された後、撮像素子３０２による撮影データ取得（露光）が行われる。このとき、遮光板２０５は半透過ミラー保持枠２０４の開口部２０４−ｆを覆う状態で保持されており、ファインダーからの有害光が撮像素子３０２に到達することを防止している。また、撮影光軸側には反射防止シート２０５−ａが貼り付けられており、撮影光学系を透過した有害光による反射を低減させている。このことにより、露光中の被写体光に有害光が入り込むことを低減することが可能となる。
【００４４】
露光動作後、半透過ミラー保持枠２０４をミラーダウン位置へ移動させる際には、半透過ミラー保持枠２０４が撮影光軸に近づくにつれて、遮光板２０５は半透過ミラー保持枠２０４と共に撮影光軸に近づくためアップ位置駆動ピン３００から離れ始め、付勢バネ２０６の付勢力により半透過ミラー保持枠２０４から離れていく（開いていく）（図７（ｂ）の状態）。
【００４５】
次に撮影者によって、主電源スイッチ１０７が操作され、電源がＯＦＦに操作されたときの動作について図８を用いて詳説する。操作検出回路１２により主電源スイッチ１０７が電源ＯＦＦ位置に操作されたことを検出すると、カメラマイコン１０が所定のシーケンスによりカメラを電源がＯＦＦできる状態に制御する。この際に、行われる遮光部材駆動ユニット４００の動作について詳説する。遮光部材駆動ユニット４００の動作以外は公知のシーケンスによりカメラ電源ＯＦＦへ遷移すればよい。図８は主電源スイッチ１０７によりカメラの電源がＯＦＦに操作された時の動作を示したミラーユニット１１２と遮光板駆動ユニット４００を示す側面図である。
【００４６】
図８（ａ）は撮影待機状態のミラーユニット１１２と遮光板駆動ユニット４００を示す側面図である。遮光板駆動ユニット４００は遮光板駆動モーター４０２、連結ギア４０３、遮光板駆動直進部材４０１、不図示の保持枠などから構成されている。遮光板駆動ユニット４００はミラーボックス２００の下面側に配置されており、従来位相差ＡＦユニットが配置されていた空間に配置されている。尚、本実施例では上記の構成としたが、本発明はこれに限定されるものでは無く、遮光板を駆動できる構成であれば適用可能である。図８（ｂ）は撮影者により電源ＯＦＦ操作された後、遮光板２０５に遮光板駆動直進部材４０１が当接し始めたことを示す側面図である。図８（ｃ）は遮光板２０５が遮光板駆動直進部材４０１により半透過ミラー保持枠２０４の半透過ミラー保持枠開口部２０４−ｆを覆う位置まで駆動された状態を示す側面図である。
【００４７】
撮影者によって、主電源スイッチ１０７が操作され、操作検出回路１２により主電源スイッチ１０７が電源ＯＦＦ位置に操作されたことを検出すると、カメラマイコン１０がモーター制御回路１４により、遮光板駆動モーター４０２を駆動し、連結ギア４０３と遮光板駆動直進部材４０１に設けられたラックの連動により遮光板駆動直進部材４０１を駆動する。遮光板駆動直進部材４０１は撮影光軸方向に駆動され、遮光板２０５と当接し始め（図８（ｂ）の状態）、更に遮光板２０５が半透過ミラー保持枠開口部２０４−ｆを覆う位置まで駆動されて、その位置に保持される（図８（ｃ）の状態）。
【００４８】
尚、本実施例では遮光板駆動直進部材４０１を撮影光軸に対して垂直に移動する形態を例示したが、本発明ではこれに限定されるものでは無く、撮影光軸に対して近づきつつ遮光板２０５を駆動できる構成であれば適用可能である。
【００４９】
遮光板２０５がほぼ半透過ミラー保持枠２０４に対して近づいた（閉じた）状態に保持されることにより、半透過ミラー保持枠２０４の開口部２０４−ｆを遮光板２０５が覆う配置となり、太陽光が不図示のＳＨ羽根や撮像素子３０２に入射することを防止することが可能となる。
【００５０】
次に撮影者によって、主電源スイッチ１０７が操作され、電源がＯＮに操作されたときの動作について述べる。電源ＯＦＦ状態では、ミラーユニット１１２がミラーダウン位置に保持されており、遮光板２０５は遮光板駆動直進部材４０１に当接したまま、半透過ミラー保持枠２０４に対して近づいた（閉じた）状態に保持されている（図８（ｃ）の状態）。
【００５１】
撮影者により主電源スイッチ１０７が操作され、操作検出回路１２により主電源スイッチ１０７が電源ＯＮ位置に操作されたことを検出すると、カメラマイコン１０がモーター制御回路１４により、遮光板駆動モーター４０２を駆動し、遮光板駆動直進部材４０１を撮影光軸から離れる方向に駆動する。遮光板駆動直進部材４０１が撮影光軸から離れるにしたがって、遮光板２０５は付勢バネ２０６の付勢力により半透過ミラー保持枠２０４から離れていく（開いていく）（図８（ｂ）の状態）。
【００５２】
その後、ミラーユニット１１２と遮光板駆動直進部材４０１は撮影待機状態に配置される（図８（ａ）の状態）。
【００５３】
図９は電源ＯＮと電源ＯＦＦ時のフローチャートである。図９（ａ）は電源ＯＦＦ時のフローチャートである。図９（ｂ）は電源ＯＮ時のフローチャートである。遮光板駆動ユニット４００以外の動作は公知のシーケンスで良いので省略する。
【００５４】
図９（ａ）を用いて、電源ＯＦＦ時の動作を述べる。ＳＴＡＲＴは撮影待機状態である。ＳＴＥＰ−Ａ１で、撮影者により主電源スイッチ１０７が操作されたかを判断する。主電源スイッチ１０７が操作されていないと判断されると撮影待機状態を維持する。主電源スイッチ１０７が操作されたと判断されると、ＳＴＥＰ−Ａ２で遮光板駆動モーター４０２が駆動され、遮光板駆動直進部材４０１が撮影光軸方向に移動を開始する。遮光板駆動直進部材４０１の移動により、遮光板駆動直進部材４０１が遮光板２０５と当接しつつ、遮光板２０５が半透過ミラー保持枠２０４に対して近づいていく。
【００５５】
遮光板駆動直進部材４０１が移動を開始した後、ＳＴＥＰ−Ａ３で遮光板駆動直進部材４０１が所定の位置まで駆動されたことを不図示の検知手段により検知すると、遮光板駆動モーター４０２の駆動を停止させ、遮光板駆動直進部材４０１と遮光板２０５とが当接した状態で保持される。このとき遮光板２０５は半透過ミラー保持枠２０４に対して近づいた（閉じた）状態である。遮光板２０５が半透過ミラー保持枠２０４に対して近づいた（閉じた）状態に配置された後、所定のシーケンスにてカメラの電源がＯＦＦとなる（ＳＴＯＰ）。
【００５６】
図９（ｂ）を用いて、電源ＯＮ時の動作を述べる。ＳＴＡＲＴは電源ＯＦＦ状態である。ＳＴＥＰ−Ｂ１で、撮影者により主電源スイッチ１０７が操作されたかを判断する。主電源スイッチ１０７が操作されていないと判断されると電源ＯＦＦ状態を維持する。主電源スイッチ１０７が操作されたと判断されると、ＳＴＥＰ−Ｂ２で遮光板駆動モーター４０２が駆動され、遮光板駆動直進部材４０１が撮影光軸から離れる方向に移動を開始する。遮光板駆動直進部材４０１の移動により、遮光板２０５が遮光板駆動直進部材４０１と当接しつつ、付勢バネ２０６の付勢力により半透過ミラー保持枠２０４に対して離れていく（開いていく）。
【００５７】
遮光板駆動直進部材４０１が移動を開始した後、ＳＴＥＰ−Ｂ３で遮光板駆動直進部材４０１が所定の位置まで駆動されたことを不図示の検知手段により検知すると、遮光板駆動モーター４０２の駆動を停止させ、遮光板駆動直進部材４０１がミラーボックス２００から突出しない位置（収納位置）に配置された状態で保持される。遮光板駆動直進部材４０１が、収納位置に配置された後、所定のシーケンスにてカメラの電源がＯＮとなる。
【００５８】
以上、本発明の好ましい実施形態について説明したが、本発明はこれらの実施形態に限定されず、その要旨の範囲内で種々の変形及び変更が可能である。
【実施例２】
【００５９】
本発明を適用した第二の実施例について述べる。ミラーユニットのアップ動作、ダウン動作は第一の実施例と同じで良いので省略する。図１０は本発明を適用したデジタル一眼レフカメラのミラーボックスユニット斜視図である。
【００６０】
ミラーボックス２００の側面にはミラーユニット１１２を駆動する公知のミラー駆動ユニット２０１が固定されている。ミラー駆動ユニット２０１はモーター、不図示のギア、バネ、ミラーユニット駆動レバーなどで構成されている。ミラーボックス２００の上部には不図示のファインダーユニットが固定される。ファインダーユニットに被写体光の一部を反射させるミラーユニット１１２は、半透過ミラー２０３、半透過ミラー保持枠２０４、遮光板２０５、遮光板付勢バネ２０６から構成されている。
【００６１】
半透過ミラー２０３は半透過ミラー保持枠２０４に不図示の両面テープで固定されている。なお、半透過ミラー２０３の半透過ミラー保持枠２０４への固定方法は充分な強度があればどのような方法であっても良い。ミラーボックス２００の内壁には有害反射光防止のために公知の技術である反射防止シート２０７が貼りつけられている。
【００６２】
なお、反射防止シート２０７は本発明に必須の構成要素では無く、反射防止塗装など、反射防止構造が採用されていることが望ましいが必要に応じて設けられていればよい。ミラーボックス２００の下面には後述する遮光板駆動回転部材５０１が配置されており、電源ＯＮ時にはミラーボックス２００内部に突出しない位置に配置されている。ミラーユニット１１２は撮影時には衝撃吸収部材２０８に衝突しアップ位置に保持される。
【００６３】
撮影者によって、主電源スイッチ１０７が操作され、電源がＯＦＦに操作されたときの動作について図１１を用いて詳説する。操作検出回路１２により主電源スイッチ１０７が電源ＯＦＦ位置に操作されたことを検出すると、カメラマイコン１０が所定のシーケンスによりカメラを電源がＯＦＦできる状態に制御する。この際に、行われる遮光部材駆動ユニット５００の動作について詳説する。遮光部材駆動ユニット５００の動作以外は公知のシーケンスによりカメラ電源ＯＦＦへ遷移すればよい。
【００６４】
図１１は主電源スイッチ１０７によりカメラの電源がＯＦＦに操作された時の動作を示したミラーユニット１１２と遮光板駆動ユニット５００を示す側面図である。
【００６５】
図１１（ａ）は撮影待機状態のミラーユニット１１２と遮光板駆動ユニット５００を示す側面図である。遮光板駆動ユニット５００は遮光板駆動モーター５０２、連結ギア５０３、５０４、遮光板駆動回転部材５０１、不図示の保持枠などから構成されている。遮光板駆動ユニット５００はミラーボックス２００の下面側に配置されており、従来位相差ＡＦユニットが配置されていた空間に配置されている。
【００６６】
尚、本実施例では上記の構成としたが、本発明はこれに限定されるものでは無く、遮光板を駆動できる構成であれば適用可能である。
【００６７】
図１１（ｂ）は撮影者により電源ＯＦＦ操作された後、遮光板２０５に遮光板駆動回転部材５０１が当接し始めたことを示す側面図である。
【００６８】
図１１（ｃ）は遮光板２０５が遮光板駆動回転部材５０１により半透過ミラー保持枠２０４の半透過ミラー保持枠開口部２０４−ｆを覆う位置まで駆動された状態を示す側面図である。
【００６９】
撮影者によって、主電源スイッチ１０７が操作され、操作検出回路１２により主電源スイッチ１０７が電源ＯＦＦ位置に操作されたことを検出すると、カメラマイコン１０がモーター制御回路１４により、遮光板駆動モーター５０２を駆動し、連結ギア５０３、５０４の連結により遮光板駆動回転部材５０１を回転軸５０１−ａを中心に回動駆動する。回転軸５０１−ａにもギアが設けられており、連結ギア５０４から駆動力を伝達される。
【００７０】
遮光板駆動回転部材５０１は被写体側に設けられた回転軸５０１−ａを回転中心として、撮影者側に設けられた当接部が半透過ミラー保持枠２０４に近づく方向で回転駆動される。遮光板駆動回転部材５０１が遮光板２０５と当接し始め（図１１（ｂ）の状態）、更に遮光板２０５が半透過ミラー保持枠開口部２０４−ｆを覆う位置まで駆動されて、その位置に保持される（図１１（ｃ）の状態）。
【００７１】
遮光板２０５がほぼ半透過ミラー保持枠２０４に対して近づいた（閉じた）状態に保持されることにより、半透過ミラー保持枠２０４の開口部２０４−ｆを遮光板２０５が覆う配置となり、太陽光が不図示のＳＨ羽根や撮像素子３０２に入射することを防止することが可能となる。
【００７２】
次に撮影者によって、主電源スイッチ１０７が操作され、電源がＯＮに操作されたときの動作について述べる。電源ＯＦＦ状態では、ミラーユニット１１２がミラーダウン位置に保持されており、遮光板２０５は遮光板駆動回転部材５０１に当接したまま、半透過ミラー保持枠２０４に対して近づいた（閉じた）状態に保持されている（図１１（ｃ）の状態）。
【００７３】
撮影者により主電源スイッチ１０７が操作され、操作検出回路１２により主電源スイッチ１０７が電源ＯＮ位置に操作されたことを検出すると、カメラマイコン１０がモーター制御回路１４により、遮光板駆動モーター５０２を駆動し、遮光板駆動回転部材５０１を半透過ミラー保持枠２０４から離れる方向に回動駆動する。遮光板駆動回転部材５０１が半透過ミラー保持枠２０４から離れるにしたがって、遮光板２０５は付勢バネ２０６の付勢力により半透過ミラー保持枠２０４から離れていく（開いていく）。
【００７４】
その後、ミラーユニット１１２と遮光板駆動回転部材５０１は撮影待機状態に配置される（図１１（ａ）の状態）。
【００７５】
電源ＯＮと電源ＯＦＦ時のフローとしては遮光板駆動方法が直進駆動か、回転駆動かの違いだけであり、第一の実施例と同じで良いので省略する。
【００７６】
以上、本発明の好ましい実施形態について説明したが、本発明はこれらの実施形態に限定されず、その要旨の範囲内で種々の変形及び変更が可能である。
【符号の説明】
【００７７】
１００  カメラ本体、１０１  上面外装カバー、１０２  前面外装カバー、
１０３  閃光ユニット、１０４  レリーズボタン、１０５  電子ダイヤル、
１０６  ＩＳＯ感度設定ボタン、１０７  主電源スイッチ、
１０８  撮影モードダイヤル、１０９  アクセサリーシュー、１１０  表示装置、
１１１  背面外装カバー、１１２  ミラーユニット、１１３  ファインダーユニット、
２００  ミラーボックス、２０１  ミラー駆動ユニット、
２０２  撮影光学系通信ユニット、２０３  半透過ミラー、
２０４  半透過ミラー保持枠、２０４−ａ  半透過ミラー保持枠回転軸、
２０４−ｂ  半透過ミラー保持枠駆動軸、２０４−ｃ  遮光板回転軸、
２０４−ｄ  ミラー位置決め部材当接面、２０４−ｅ  保持枠当接面、
２０４−ｆ  半透過ミラー保持枠開口部、２０５  遮光板、
２０５−ａ  反射防止シート、２０５−ｂ  反射防止シート、
２０５−ｃ  遮光板当接面、２０５−ｄ  ピン当接面、２０５−ｅ  遮光板壁部、
２０６  付勢バネ、２０７  反射防止シート、３００  アップ位置駆動ピン、
３０２  撮像素子、３０３  ミラー位置決め部、
４００  遮光板駆動ユニット（第一の実施例）、４０１  遮光板駆動直進部材、
４０２  遮光板駆動モーター、４０３  連結ギア、
５００  遮光板駆動ユニット（第二の実施例）、５０１  遮光板駆動回転部材、
５０１−ａ  遮光板駆動回転部材回転軸、５０２  遮光板駆動モーター、
５０３  連結ギア、５０４連結ギア
【図１】
2015225192.tif 000003
【図２】
2015225192.tif 000004
【図３】
2015225192.tif 000005
【図４】
2015225192.tif 000006
【図５】
2015225192.tif 000007
【図６】
2015225192.tif 000008
【図７（ａ）】
2015225192.tif 000009
【図７（ｂ）】
2015225192.tif 000010
【図７（ｃ）】
2015225192.tif 000011
【図８（ａ）】
2015225192.tif 000012
【図８（ｂ）】
2015225192.tif 000013
【図８（ｃ）】
2015225192.tif 000014
【図９】
2015225192.tif 000015
【図１０】
2015225192.tif 000016
【図１１（ａ）】
2015225192.tif 000017
【図１１（ｂ）】
2015225192.tif 000018
【図１１（ｃ）】
2015225192.tif 000019